(57)【要約】      （修正有）【課題】中間免震建物に設ける外部足場を、地震発生時の水平変位に対応して追従させることができる外部足場用治具を提供する。【解決手段】中間免震建物１４に沿って連設する外部足場１７の上下の建枠同士１９のジョイント部分２０に介在させて、外部足場１７を地震発生時の水平変位に追従させる外部足場用治具１１であって、建枠１９の下端１９ａに取り付けるスライド部材１２と、保持部材１３とから構成され、スライド部材１２は、上部支柱２１と、滑り板２２と、当て板２３とが一体に形成され、保持部材１３は、建枠１９の上端１９ｂに挿入される下部支柱２４と、下部支柱２４の上端部に設けられ滑り板２２を上下の板部２５、２６でスライド自在に保持すると共に上板部２５に開口部２８を有する保持体２７とが一体に形成される。【選択図】図１
2012188849.tif 000002
【特許請求の範囲】
【請求項１】
中間免震建物に沿って連設する外部足場の上下の建枠同士のジョイント部分に介在させて、前記外部足場を地震発生時の水平変位に追従させる外部足場用治具であって、
該外部足場用治具は、前記建枠の下端に取り付けるスライド部材と、前記建枠の上端に取り付ける保持部材とから構成され、
前記スライド部材は、前記建枠の下端に挿入される上部支柱と、該上部支柱の下端部に設けられる滑り板と、該滑り板の上位置に隙間を開けて前記上部支柱に設けられ前記建枠の下端が当接する当て板とが一体に形成され、
前記保持部材は、前記建枠の上端に挿入される下部支柱と、該下部支柱の上端部に設けられ前記滑り板を上下の板部でスライド自在に保持すると共に該上板部に開口部を有する保持体とが一体に形成されること
を特徴とする外部足場用治具。
【請求項２】
スライド部材及び保持部材は、滑り板のスライドを阻止するストッパー構造を備えること
を特徴とする請求項１に記載の外部足場用治具。
【請求項３】
ストッパー構造は、滑り板に穿設される複数の挿入孔と、該挿入孔と対応する位置の下板部に穿設される連通孔と、前記挿入孔と前記連通孔とに挿入するストッパーピンとであること
を特徴とする請求項２に記載の外部足場用治具。
【請求項４】
ストッパー構造は、開口部における上部支柱と上板部との間に嵌合して、スライド部材の動きを阻止するストッパープレートであること
を特徴とする請求項２に記載の外部足場用治具。
【発明の詳細な説明】
【技術分野】
【０００１】
本発明は、中間免震建物の外部足場用治具に関するものである。
【背景技術】
【０００２】
中間免震建物は、中間階に免震層を設けるので、建物の下層から上層に沿って複数段に連設する外部足場を、地震発生時の水平変位に対応して追従する構造にすることが困難である。
【０００３】
そこで、図５に示すように、従来の中間免震建物１の外部足場２は、免震層３と上層４との間の位置で分離して設け、上層４の外側に張出足場５を設置し、張出足場５の上部に外部足場６を設けることで、下層７と上層４との縁を切る構造にしている。なお、図５中の符号８は、壁つなぎ金具を示す。
【０００４】
なお、特開２００２−４５７１号公報には、免震構造物用外部足場の支持構造に関する発明が開示されている（特許文献１参照）。
【先行技術文献】
【特許文献】
【０００５】
【特許文献１】特開２００２−４５７１号公報
【発明の概要】
【発明が解決しようとする課題】
【０００６】
この従来例の中間免震建物１の外部足場２においては、建物の途中に張出足場５を設けるので、その分の手間が掛かって作業コストが高くなるだけでなく、本設構造物に仮設部材を設けるので、強度的に問題がないかを検討する必要があるという種々の問題点を有している。
【０００７】
従って、従来例における中間免震建物１の外部足場２においては、張出足場５を設ける手間を無くして作業コストを抑えることと、強度的な問題の検討を不要にすることに解決しなければならない課題を有している。
【課題を解決するための手段】
【０００８】
前記従来例の課題を解決するための本発明の要旨は、中間免震建物に沿って連設する外部足場の上下の建枠同士のジョイント部分に介在させて、前記外部足場を地震発生時の水平変位に追従させる外部足場用治具であって、該外部足場用治具は、前記建枠の下端に取り付けるスライド部材と、前記建枠の上端に取り付ける保持部材とから構成され、前記スライド部材は、前記建枠の下端に挿入される上部支柱と、該上部支柱の下端部に設けられる滑り板と、該滑り板の上位置に隙間を開けて前記上部支柱に設けられ前記建枠の下端が当接する当て板とが一体に形成され、前記保持部材は、前記建枠の上端に挿入される下部支柱と、該下部支柱の上端部に設けられ前記滑り板を上下の板部でスライド自在に保持すると共に該上板部に開口部を有する保持体とが一体に形成されることである。
【０００９】
また、前記スライド部材及び保持部材は、滑り板のスライドを阻止するストッパー構造を備えること、；
前記ストッパー構造は、滑り板に穿設される複数の挿入孔と、該挿入孔と対応する位置の下板部に穿設される連通孔と、前記挿入孔と前記連通孔とに挿入するストッパーピンとであること、；
前記ストッパー構造は、開口部における上部支柱と上板部との間に嵌合して、スライド部材の動きを阻止するストッパープレートであること、；
を含むものである。
【発明の効果】
【００１０】
本発明に係る外部足場用治具によれば、中間免震建物に沿って設ける外部足場を地震発生時の水平変位に対応して追従させることができるので、従来例のように建物の途中に張出足場を設ける必要がなく、その分の作業手間と作業コストとを抑えることができる。また、従来例のような強度的な問題の検討が不要であるという種々の優れた効果を奏する。
【００１１】
スライド部材及び保持部材は、滑り板のスライドを阻止するストッパー構造を備えることによって、ストッパーを用いると外部足場用治具のスライド機能が停止することとなり、外部足場の組立時や解体時等に安全であるという優れた効果を奏する。
【図面の簡単な説明】
【００１２】
【図１】（イ）本発明の第１実施例に係る外部足場用治具１１の縦断面図である。（ロ）同外部足場用治具１１の平面図である。（ハ）上板部２５の一部を破断して示す、外部足場用治具１１の平面図である。
【図２】本発明に係る外部足場用治具１１を取り付けた外部足場１７を示す、中間免震建物１４の側面図である。
【図３】（ニ）（ホ）本発明の第２実施例に係る外部足場用治具１１ａの縦断面図である。（ヘ）図３（ホ）のＡ−Ａ線断面図である。
【図４】（ト）本発明の第３実施例に係る外部足場用治具１１ｂの縦断面図である。（チ）同外部足場用治具１１ａの平面図である。（リ）図４（ト）のＢ−Ｂ線断面図である。
【図５】従来例に係る外部足場２を説明する、中間免震建物１の側面図である。
【発明を実施するための形態】
【００１３】
次に、本発明の実施の形態について図面を参照しながら詳細に説明する。なお、理解を容易にするため、従来例に対応する部分には従来例と同一の符号を付けて説明する。
【実施例１】
【００１４】
まず、図１（イ）（ロ）（ハ）に示した第１実施例において、符号１１は外部足場用治具示し、この外部足場用治具１１は、スライド部材１２と、保持部材１３とから構成される。
【００１５】
外部足場用治具１１は、図２に示すように、中間免震建物１４の下層７から上層４に沿って複数段に連設する外部足場１７の、免震層３に対応する位置における上下の建枠１９同士のジョイント部分２０に介在させる。図２においては、外部足場用治具１１を介在したジョイント部分２０が、上下の２箇所に存在する。
【００１６】
このようにジョイント部分２０に介在させた外部足場用治具１１は、地震発生時にスライドするので、中間免震建物１４に沿って複数段に連設した外部足場１７を、地震発生時の水平変位に追従させることが可能となる。
【００１７】
スライド部材１２は、パイプ材から成る建枠１９の下端１９ａへ挿入される上部支柱２１と、上部支柱２１の下端部に設けられる滑り板２２と、滑り板２２の上方に設けられる当て板２３とが一体的に形成される。
【００１８】
滑り板２２は、円盤状に形成される。また、後述する上板部２５と下板部２６との間でのスライドを良好にするために、例えば滑り板２２にテフロン（登録商標）板を貼着したり、適宜な方法で滑り板２２の滑面処理を施すことが望ましい。あるいは、滑り板２２の下面又は上面に、図示しないベアリング機構を設けてもよい。
【００１９】
当て板２３は、滑り板２２よりもやや小さめな円盤状に形成され、滑り板２２と適宜の隙間を開けて上部支柱２１に設けられる。この当て板２３は、建枠１９の下端１９ａを当接させて保持する部位である。
【００２０】
保持部材１３は、パイプ材から成る建枠１９の上端１９ｂへ挿入される下部支柱２４と、滑り板２２をスライド自在に保持する保持体２７とが一体的に形成される。
【００２１】
保持体２７は、円盤状に形成されると共に、上板部２５と下板部２６とが、滑り板２２を挟んだ状態で水平方向にスライド可能に保持し、かつ鉛直方向の動きを拘束する。
【００２２】
滑り板２２のスライド可能な長さは、具体例を上げると８ｃｍ程度である。何故ならば、震度５弱の地震では、免震建物が約１５ｃｍ程度移動すると一般に言われているので、図２に示すように、外部足場用治具１１を上下２箇所に設置すれば、対応が可能だからである。
【００２３】
上板部２５と下板部２６との周縁には、周縁部２９が設けられており、周縁部２９と滑り板２２との間は、隙間部３０を有する。上板部２５の中央部には、開口部２８が形成されており、滑り板２２のスライド時には上部支柱２１が当該開口部２８を移動できるようになっている。また、下板部２６の下面で、下部支柱２４を挿入した建枠１９の上端１９ｂを当接させて保持する。
【実施例２】
【００２４】
次に、図３（ニ）（ホ）（ヘ）に第２実施例の外部足場用治具１１ａを示す。この第２実施例において、前記第１実施例と同一部分には同一符号を付してその詳細は省略する。
【００２５】
スライド部材１２及び保持部材１３は、滑り板３１のスライドを阻止するストッパー構造を備える。ストッパーを用いると外部足場用治具１１ａのスライド機能が停止することとなり、外部足場１７の組立時や解体時等に安全である。
【００２６】
第２実施例に係るストッパー構造を具体的に説明する。ストッパー構造は、滑り板３１に穿設される複数の挿入孔３２と、挿入孔３２と対応する位置の下板部３３に穿設される連通孔３４と、挿入孔３２と連通孔３４とに連通させるストッパーピン（固定用ボルト）３５とから成る。
【００２７】
挿入孔３２は、滑り板３１の円周方向に沿って３０度毎に複数穿設され、同様に、連通孔３４は、下板部３３の円周方向に沿って３０度毎に複数穿設されている。多数の挿入孔３２と連通孔３４とを穿設することによって、孔同士の位置合わせとストッパーピン３５の挿入とを容易にしている。
【００２８】
このようなストッパー構造は、挿入孔３２と連通孔３４とを位置合わせして、ストッパーピン３５を挿入（又は螺着）すると、滑り板３１と下板部３３とが固定状態に維持されて、外部足場用治具１１のスライド機能が停止する。
【実施例３】
【００２９】
次に、図４（ト）（チ）（リ）に第３実施例の外部足場用治具１１ｂを示す。この第３実施例において、前記第１実施例と同一部分には同一符号を付してその詳細は省略する。
【００３０】
第３実施例に係るストッパー構造は、開口部２８における上部支柱２１と上板部２５の縁部との間に嵌合して、スライド部材１２の動きを阻止するストッパープレート３６である。
【００３１】
ストッパープレート３６は、扇形に形成されている。２個のストッパープレート３６を開口部２８に嵌め込むことで、スライド部材１２が固定状態に維持されて、外部足場用治具１１のスライド機能が停止する。
【００３２】
以上のように構成される外部足場用治具１１は、中間免震建物１４に設ける外部足場１７を地震発生時の水平変位に対応して追従させることができる。従って、従来例のように建物の途中に張出足場５を設ける必要がないので、その分の作業手間と作業コストとを抑えることができて、強度的な問題の検討も不要である。
【符号の説明】
【００３３】
１    中間免震建物
２    外部足場
３    免震層
４    上層
５    張出足場
６    外部足場
７    下層
８    壁つなぎ金具
１１  第１実施例に係る外部足場用治具
１１ａ  第２実施例に係る外部足場用治具
１１ｂ  第３実施例に係る外部足場用治具
１２  スライド部材
１３  保持部材
１４  中間免震建物
１７  外部足場
１９  建枠
１９ａ  下端
１９ｂ  上端
２０  ジョイント部分
２１  上部支柱
２２  滑り板
２３  当て板
２４  下部支柱
２５  上板部
２６  下板部
２７  保持体
２８  開口部
２９  周縁部
３０  隙間部
３１  滑り板
３２  挿入孔
３３  下板部
３４  連通孔
３５  ストッパーピン（固定用ボルト）
３６  ストッパープレート
【図１】
2012188849.tif 000003
【図２】
2012188849.tif 000004
【図３】
2012188849.tif 000005
【図４】
2012188849.tif 000006
【図５】
2012188849.tif 000007